(57)【要約】      （修正有）【課題】擁壁の前面及び擁壁上に形成され、簡便な作業工程により形成できる防音壁を提供する。【解決手段】擁壁Ｙの前面４の、吸音パネル１を取り付けるアンカー５を用いて支柱３を取り付けることで、擁壁Ｙの上面に新たにアンカーを設ける必要がなく、簡便な作業工程によって擁壁Ｙの前面４及び擁壁Ｙの上端より上方に形成ができる。また吸音パネル１のアンカーを取り外して支柱３を取り付けることもでき、既設の防音壁においても容易に嵩上げを図ることが可能となる。【選択図】        図２
2006283297.tif 000002
【特許請求の範囲】
【請求項１】
擁壁の前面に設けられたアンカーを用いて少なくとも吸音性を備えた吸音パネルが取り付けられると共に、該アンカーに取り付けられた支柱が前記擁壁の上端より上方に突設されて、該支柱に吸音性と遮音性とを備えた吸遮音パネルが取り付けられていることを特徴とする防音壁。
【請求項２】
前記支柱は、前記吸音パネルの前面より前端が奧側になるように設けられていることを特徴とする請求項１に記載の防音壁。
【請求項３】
前記支柱は地平と略垂直に立設された直立部と、直立部に対して騒音発生源側に傾斜された屈曲部とが備えられ、該直立部及び屈曲部に前記吸遮音パネルが取り付けられていることを特徴とする請求項１又は２に記載の防音壁。
【発明の詳細な説明】
【技術分野】
【０００１】
本発明は、騒音の発生源である道路や鉄道等からの騒音の吸音、遮音を目的として側縁近傍に設けられる防音壁に関し、特に道路や鉄道の高架橋梁や高架鉄道等に好適に使用される防音壁に関するものである。
【背景技術】
【０００２】
擁壁より上方に嵩上げして防音壁を設ける場合については、道路長さ方向に伸びる嵌合溝を形成するように対向する一対の側板を備えたパネル保持部材を設置部基礎に擁壁上に埋設したアンカーで固定し、このパネル保持部材の嵌合溝に自立できる剛性を持つ吸音パネルの下端部を挿入した吸音壁が開示されている（例えば特許文献１）。
【０００３】
また擁壁の前面に吸音性能を備えさせるについては、上横枠と下横枠にそれぞれ取付部を備えた吸音パネルの、取付部の取付孔にコンクリート壁面に植設されたアンカーボルトを通し、停めナットと締付けナットで固定して取り付けた吸音壁が開示されている（例えば特許文献２）。擁壁の前面及び擁壁上の双方に防音壁を設けるには、上記の特許文献１及び２を組み合わせたような防音壁が一般的に用いられてきている。
【０００４】
【特許文献１】特開２０００−３１９８２３号公報
【特許文献２】特開２００４−２１１３３６号公報
【発明の開示】
【発明が解決しようとする課題】
【０００５】
しかしながら、上述の如き従来の防音壁では、擁壁の前面にアンカーボルトを埋設し、吸音パネルの取付部を用いてアンカーボルトにボルト・ナット等を用いて取り付け、更に擁壁の上面にアンカーボルトを埋設して支柱のベースプレートをボルト・ナット等を用いてアンカーボルトに取り付け、その上支柱に対して防音パネルを取り付けるという、極めて繁雑な作業工程が必要となるものであった。
【０００６】
本発明は上記の如き課題に鑑みてなされたものであり、擁壁の前面及び擁壁上に形成され、簡便な作業工程により形成できる防音壁を提供せんとするものである。
【課題を解決するための手段】
【０００７】
上記目的を達成するため、本発明は以下のような構成としている。すなわち、本発明に係わる防音壁は、擁壁の前面に設けられたアンカーを用いて少なくとも吸音性を備えた吸音パネルが取り付けられると共に、該アンカーに取り付けられた支柱が前記擁壁の上端より上方に突設されて、該支柱に吸音性と遮音性とを備えた吸遮音パネルが取り付けられていることを特徴とするものである。
【０００８】
本発明に係わる防音壁によれば、擁壁の前面の、吸音パネルを取り付けるアンカーを用いて支柱を取り付けることで、擁壁の上面に新たにアンカーを設ける必要がなく、簡便な作業工程によって擁壁の前面及び擁壁の上端より上方に形成ができる。また吸音パネルのアンカーを取り外して支柱を取り付けることもでき、既設の防音壁においても容易に嵩上げを図ることが可能となる。
【０００９】
また請求項１に記載の防音壁において、前記支柱は、前記吸音パネルの前面より前端が奧側になるように設けられていれば、支柱が目立たず外観を損ねることが少なくでき、また建築限界が厳密に設定されている場所においても適用することができ好ましい。
【００１０】
また請求項１又は２に記載の防音壁において、支柱は地平と略垂直に立設された直立部と、直立部に対して騒音発生源側に傾斜された屈曲部とが備えられ、該直立部及び屈曲部に前記吸遮音パネルが取り付けられていれば、屈曲部により上方への騒音の伝播が抑制され、吸音効果を高めることができ好ましい。
【発明の効果】
【００１１】
本発明に係わる防音壁によれば、擁壁の前面の、吸音パネルを取り付けるアンカーを用いて支柱を取り付けることで、擁壁の上面に新たにアンカーを設ける必要がなく、簡便な作業工程によって擁壁の前面及び擁壁の上端より上方に形成ができる。また吸音パネルのアンカーを取り外して支柱を取り付けることもでき、既設の防音壁においても容易に嵩上げを図ることが可能となる。
【発明を実施するための最良の形態】
【００１２】
本発明に係わる最良の実施の形態について、図面に基づき以下に具体的に説明する。
【００１３】
図１は、本発明に係わる防音壁の、実施の一形態を示す説明図である。鉄道線路Ｒの側縁にコンクリート製の擁壁Ｙが設けられ、擁壁の前面４には、取付金具１１を用いて前面にパンチング孔が穿設されて吸音性を備えた吸音パネル１が縦四段に亘って取り付けられている。最上段の吸音パネル１を取り付けている取付金具４には、更に断面コ字状の支柱３が取り付けられている。支柱３は、擁壁Ｙの上端から更に上方に突設されており、鉄道線路Ｒと略垂直に立設された直立部３１と、直立部３１の上端から騒音の発生源である鉄道線路Ｒ側に直角に折り曲げられて形成された屈曲部３２とを備え、直立部３１と屈曲部３２の各々に、吸音性と遮音性を兼ね備えた吸遮音パネル２Ａ及び２Ｂが取り付けられている。
【００１４】
図２は、図１のＡ−Ａ断面を示す断面図であり、擁壁の前面４にアンカー５が埋設され、アンカー５のねじ部５１が前面４から突出されている。吸音パネル１の両側端には、断面コ字状の側枠体１２が設けられ、側枠体１２の前面側にパンチング板１３がリベット止め等により取り付けられ、パンチング板１３の背後にグラスウール等からなる吸音材１４が配置されることで吸音性を備えたものとなされている。尚、吸音材１４の背面側は擁壁Ｙが位置していることから、背面には特に板体等は設けられていない。側枠体１２の両側端には、Ｌ字状の取付金具１１がリベット止め等により固着して取り付けられ、アンカー５を挟んで両側の吸音パネル１の取付金具１１に、各々ねじ部５１が挿通されると共に、ねじ部５１に緩み止めのナットＮ１と締め付け用のナットＮ２が螺着されて吸音パネル１が擁壁の前面４に取り付けられるようになされているが、ナットＮ１及びＮ２の螺着の前に、更に断面コ字状の支柱３の、フランジ部３１がねじ部５１に挿通されることで、吸音パネル１を取り付けるアンカー５を用いて支柱３が取り付けられている。
【００１５】
図３は、図１における吸遮音パネル２Ａ及び２Ｂ全体を示す斜視図である。吸遮音パネル２は前面にパンチング孔が穿設され吸遮音性能を備えたパネル本体２１と、パネル本体２１の両側端にリベット止め等により固着して取り付けられた断面Ｌ字型の取付金具２２とを備えたもので、取付金具２２には、パネルの長手方向に長孔となされ、支柱３への取り付けを行うボルト孔２３が穿設されている。取付金具２２は、パネル本体２１の上下方向の全体に連続して設けられ、支柱３への取り付け後に隙間が生じて遮音性が損なわれるのを防止している。
【００１６】
図４は、図１におけるＢ−Ｂ断面で、吸遮音パネル２の支柱３への取り付け状態の詳細を示す断面図である。吸遮音パネル２Ａのパネル本体２１は、両側端に設けられた側枠体２４と、側枠体２４にはリベット止め等により固着された、前面のパンチング板２５及び背面の背面板２６が取り付けられ、パンチング板２５と背面板２６との間に配置された吸音材２７とを備えたもので、パンチング板２５と吸音材２７とによって吸音性が具備され、背面板２６により遮音性が具備されるようになされている。隣接する吸遮音パネル２Ａの、取付金具２２のボルト孔２３が重ね合わされると共に、背面側から両方の取付金具２２のボルト孔２３に取付ボルトＢ１が挿通され、更に取付ボルトＢ１が支柱３のフランジ部３１に挿通されて、緩み止めのナットＮ１と締め付け用のナットＮ２とが螺着されて、支柱３に吸遮音パネル２が取り付けられる。
【００１７】
屈曲部３２に取り付けられる吸遮音パネル２Ｂについても、上述の直立部３１に取り付けられる吸遮音パネル２Ａと同様に支柱３に対して取り付けられる。尚、吸遮音パネル２Ａと吸遮音パネル２Ｂとの上下方向は、角部付近が突き合わせとされることで、その部分からの音漏れを防止するようになされている。
【００１８】
吸音パネル１及び吸遮音パネル２については、特に限定されるものではなく擁壁の前面４や支柱３に取り付け可能であれば用いることができる。吸遮音パネル２については、支柱３及びアンカー５に重量的な負担を増加させるものであるから、遮音性能が確保できる範囲で軽量なものとするのが好ましく、側枠体２４やその他の枠体、パンチング板２５等、遮音性への影響の小さい部分について軽量なアルミニウムやその合金を用いて形成したものが好適である。
【００１９】
支柱３についても、形成に用いる材料及び形状は特に限定されず、他に断面Ｈ型、断面Ｔ字型等の形状といった断面二次モーメントが高められた形状のものを好適に用いることができる。また材料については、アンカー５に重量的な負担を増加させるものであるから、アルミニウムやその合金を用いて形成したものを好適に用いることができる。また直立部３１に対する屈曲部３２の形状についても直角に限定されず、更に直立に近い角度や斜め４５度程度としたり、屈曲部３２全体若しくは一部に曲率（Ｒ）を持たせたものとしてもよい。
【００２０】
尚、新設の防音壁の場合には、予め支柱３及び吸遮音パネル２の取り付けを見込んで大きい荷重に耐えうるアンカー５を埋設しておき、嵩上げが必要となった場合のみに支柱３及び吸遮音パネル２を取り付けるようにしてもよい。
【００２１】
また、本発明に係わる防音壁は、擁壁Ｙの前面４に対して取り付けられた既設の防音壁に対しても適用が可能である。図５はその一例を示すもので、（ａ）は適用される防音壁を示す斜視図、（ｂ）及び（ｃ）は支柱の取り付けを示す断面図である。（ａ）において、図１に示した吸音パネル１と同様に、吸音パネル１が取付金具１１を用いて擁壁Ｙの前面に取り付けられている。かかる防音壁において、設置当初は十分な防音性を備えていたものの、周囲の環境の変化により防音性が不足したり、設計時点で想定していた防音性が得られていなかったりする場合には、防音壁の嵩上げを行い防音性の向上を図る必要が生じてくる。
【００２２】
かかる状況において、上述の実施形態に示した如く支柱３及び吸遮音パネル２による嵩上げを行うことができる。まず（ｂ）において、吸音パネル１を固定する緩み止めのナットＮ１と締め付け用のナットＮ２とを工具を用いて取り外す。吸音パネル１は他方の取付金具１１により固定されているが、前面側を押さえる等して固定しておくのが好ましい。次に（ｃ）に示す如く、支柱３のフランジ部３１に穿設されたボルト孔３２をアンカー５のねじ部５１に挿通させ、挿通後に再度ナットＮ１及びＮ２を螺着する。かかる方法によって、支柱３を極めて簡便に擁壁Ｙに取り付け、防音壁の嵩上げを行うことが可能となる。
【図面の簡単な説明】
【００２３】
【図１】本発明に係わる防音壁の、実施の一形態を示す斜視図である。
【図２】図１のＡ−Ａ断面図である。
【図３】図１における吸遮音パネル全体を示す斜視図である。
【図４】図１のＢ−Ｂ断面図である。
【図５】本発明に係わる防音壁の、既設の防音壁に対する適用の一例を示す説明図である。
【符号の説明】
【００２４】
１    吸音パネル
２    吸遮音パネル
３    支柱
４    擁壁の前面
５    アンカー
１０  防音壁
Ｙ    擁壁
【図１】
2006283297.tif 000003
【図２】
2006283297.tif 000004
【図３】
2006283297.tif 000005
【図４】
2006283297.tif 000006
【図５】
2006283297.tif 000007